(57)【要約】      （修正有）【課題】ヘルメット用シールドにおいて、モールを用いた立体的な装飾をより体裁よくできるようにすると共に、この立体的な装飾につき、種々の不具合を解消したうえで施すことができるようにする。【解決手段】ヘルメット用シールドにおいて、シールド下縁に沿ってモール５が設けられていると共に、このモール５の両端部には端部処理具６が装着されており、この端部処理具６はモール端を外嵌するモール外嵌部１５とシールド下縁を表裏両側から挟持するシールド挟持部１６とを有している。【選択図】図１
0003136009.tif 000002
【実用新案登録請求の範囲】
【請求項１】
ヘルメット（２）に装着するシールドにおいて、シールド下縁に沿ってモール（５）が設けられていると共にこのモール（５）の両端部には端部処理具（６）が装着されており、この端部処理具（６）はモール端（５ａ）を外嵌するモール外嵌部（１５）とシールド下縁を表裏両側から挟持するシールド挟持部（１６）とを有していることを特徴とするヘルメット用シールド。
【請求項２】
前記端部処理具（６）は、モール外嵌部（１５）の内部スペースがモール端（５ａ）にガタツキ無く外嵌する嵌め合い関係に形成されていると共に、シールド挟持部（１６）の内部スペースがシールド下縁にガタツキ無く挟持する嵌め合い関係に形成されており、これらによりモール外嵌部（１５）とシールド挟持部（１６）との間に内部段差（２５）が形成されたものとなっていることを特徴とする請求項１記載のヘルメット用シールド。
【請求項３】
前記端部処理具（６）のモール外嵌部（１５）には、モール（５）の上縁と鉤フック状に係合した状態でシールドまで達する止水縁（１９）が形成されていることを特徴とする請求項２記載のヘルメット用シールド。
【請求項４】
前記端部処理具（６）は、シールド挟持部（１６）がシールド下縁にネジ止めされていることを特徴とする請求項１乃至請求項３のいずれか１項に記載のヘルメット用シールド。
【請求項５】
前記端部処理具（６）は、モール外嵌部（１５）がモール（５）を貫通してシールド下縁にネジ止めされていることを特徴とする請求項１乃至請求項４のいずれか１項に記載のヘルメット用シールド。
【請求項６】
前記端部処理具（６）は、シールド表面側に向けられる面が前方から受ける風を後方へ流す方向で流面形に形成されていることを特徴とする請求項１乃至請求項５のいずれか１項に記載のヘルメット用シールド。
【考案の詳細な説明】
【技術分野】
【０００１】
本考案は、ヘルメット用シールドに関するものである。
【背景技術】
【０００２】
ジェット型やハーフ型などのヘルメットに取り付けるシールドは周知である（例えば特許文献１等参照）。この種のシールドには、ヘルメットに対して跳ね上げ自在な状態で取り付けるタイプや固定状態で取り付けるタイプ、バイザーと一体型になったタイプ、バイザーとは選択的に装着するタイプ、バイザーをも囲い込むようにしたタイプなどがあり、更には、ヘルメット着用者の顔面を全面的に覆うタイプや、目の領域だけを覆うゴーグル的なタイプなどもある。
【特許文献１】実用新案登録第３０２４８９２号公報
【考案の開示】
【考案が解決しようとする課題】
【０００３】
従来のシールドは、一枚ものの樹脂板をヘルメット形状に合わせて折り曲げたり湾曲させたり、或いは膨らませたりして形成されている。そのため、外形状以外の外観的なアクセントとしては、素材となる樹脂板自体が有する無色透明性、有色透明色、スモーク調色、マジックミラーといった色合いに関してのみ、好みのものを選択して使うというのが一般的であった。
そこでシールドの下縁部などにモールを取り付けて立体的な装飾を施す試みが検討されている。しかし、シールドの下縁にモールを取り付けた場合、モールの端部などからモール内に雨露等が浸入してモール内に詰められた弾性材（ゴムやスポンジ等）や接着剤を劣化させたり、カビや水苔等を発生させたりするという不具合が考えられた。
【０００４】
本考案は、上記事情に鑑みてなされたものであって、モールを用いた立体的な装飾をより体裁よく、また種々の不具合を解消したうえで施すことができるようにしたヘルメット用シールドを提供することを目的とする。
【課題を解決するための手段】
【０００５】
前記目的を達成するために、本考案は次の手段を講じた。
即ち、本考案に係るヘルメット用シールドでは、シールド下縁に沿ってモールが設けられていると共にこのモールの両端部には端部処理具が装着されており、この端部処理具はモール端を外嵌するモール外嵌部とシールド下縁を表裏両側から挟持するシールド挟持部とを有している。
このように、シールド下縁に設けられたモールに対してその両端部に端部処理具が装着されているので、モール端による見栄え上の粗（ブツ切れとなってモールの断面が曝された状態）が隠され、結果、シールド全体が引き締まって見えるようになる。すなわち、モールを用いた立体的な装飾として、より体裁がよくなる。
【０００６】
またモールによる立体感だけでなく、端部処理具による立体感も加わるため、従来の色あいの違いしか選択できなかった事情とは異なり、装飾としての自由度が広がる（立体的なものを選択できる）ことになる。
そのうえ、この端部処理具が装着されることで、モール端からの雨露等の浸入が阻止されることになるので、モール内に詰められた弾性材や接着剤が劣化するのが防止される。またカビや水苔等の発生も防止されることになる。弾性材や接着剤の劣化防止はモールの剥がれや脱落を防止できる利点に繋がり、またカビや水垢等の発生防止は、汚染汁の漏洩や悪臭の発生を防止できる利点に繋がる。
【０００７】
ところで、モールや端部処理具の装着は、シールドに対して指を引っ掛けやすくなることに繋がるので、跳ね上げ自在タイプのシールドの場合には開閉操作が容易になる利点があり、また固定取付タイプのシールドの場合にはヘルメットからの着脱が容易になる利点がある。
端部処理具は、モール外嵌部の内部スペースがモール端にガタツキ無く外嵌する嵌め合い関係に形成されていると共に、シールド挟持部の内部スペースがシールド下縁にガタツキ無く挟持する嵌め合い関係に形成されたものとなっており、これにより、モール外嵌部とシールド挟持部との間に内部段差が形成されたものとするのが好適である。
【０００８】
このようにすることで、端部処理具の装着状態として、配置的なバラツキを生じ難くなり、製品個々の統一性を保てることになる。また装着後、使用中において端部処理具のガタツキが起こらないので、端部処理具の破損や脱落を防止できる利点もある。
また、モールやシールドに対する端部処理具の装着状態が密接状のものとなるので、上記したようなモール端からの雨露等の浸入阻止効果が高まり、モール内に詰められた弾性材や接着剤の劣化防止、及びカビや水苔等の発生防止の効果も強化される利点がある。
端部処理具のモール外嵌部には、モールの上縁と鉤フック状に係合した状態でシールドまで達する止水縁を形成しておくのが好適である。
【０００９】
このような止水縁を形成することで、モールに対する端部処理具の位置決めが確実となり、且つ一義的なものとなる利点がある。また、端部処理具自体の脱落防止にも繋がる利点がある。
端部処理具は、シールド挟持部をシールド下縁にネジ止めする構造にしてもよいし、モール外嵌部を、モールを貫通してシールド下縁にネジ止めする構造にしてもよい。勿論、シールド挟持部及びモール外嵌部の双方でネジ止めする構造を採用してもよい。
なお、ネジ止めに限定されず、リベットなどを用いたカシメ構造や、端部処理具自体を塑性変形させることによるカシメ構造、或いは接着構造などを採用してもよい。
【００１０】
端部処理具は、シールド表面側に向けられる面が前方から受ける風を後方へ流す方向で流面形に形成するのが好適である。
このような流面形を採用することで、風切り音の抑制が可能となる。
【考案の効果】
【００１１】
本考案に係るヘルメット用シールドでは、モールを用いた立体的な装飾をより体裁よく、また種々の不具合を解消したうえで施すことができる。
【考案を実施するための最良の形態】
【００１２】
以下、本考案の実施の形態を、図面に基づき説明する。
［第１実施形態］
図１乃至図６は、本考案に係るヘルメット用シールド１の第１実施形態を示している。このシールド１は無色透明、有色透明、スモーク調、又はマジックミラーなどが施されたポリカーボネイトなどにより形成されたものであって、ジェット型やハーフ型などのヘルメット２に取り付けられる。
図例のヘルメット２はジェット型であり、また図例のシールド１は着用者の顔面全体を覆うことができる大きさとされ、ヘルメット２に対してボタンホック（リングホック）３により取り付けられる固定取付タイプとしてある。なお、ボタンホック３なので、必要に応じて着脱自在であることは言うまでもない。
【００１３】
このシールド１では、シールド下縁に沿ってモール５が設けられていると共に、このモール５の両端部には端部処理具６が装着されている。端部処理具６は、その形成素材が殊更限定されるものではなく、樹脂でもゴムでも、或いは金属等でもよい。樹脂とする場合はナイロン系のものをはじめとして、ＰＰ、ＡＢＳなどを適宜採用すればよい。
なお、モール５については、図６に示すようにアルミ合金等により形成されたテープ状の薄板７をその幅方向でＵ字状に曲げて、内部にゴムやスポンジ等の弾性材８を詰めて所定形状に保形させ、そのうえで薄板７の両側縁部で巻き込むようにした構造となっており、弾性材８の中央にはシールド下縁へ挟持させるための溝９が形成されている。この溝９内をシールド下縁へ挟み付けるときに、両者間へ接着剤を塗布するか又は両面テープを張り付けて接着させる。
【００１４】
端部処理具６はモール外嵌部１５とシールド挟持部１６とを有している。
図５に示すように、モール外嵌部１５は、モール端５ａを外嵌するようになった部位であり、横向きに開口する嵌合口１７を有したソケット形に形成されている。嵌合口１７の開口形状は、下部側が丸くカーブしてモール５の下縁にピッタリと合致するように形成されていると共に、上部側にはシールド１だけが通るように開口幅を絞って形成されている。
すなわち、モール外嵌部１５の内部スペース（嵌合口１７の開口形状及び内法サイズ）は、モール端５ａにガタツキ無く外嵌する嵌め合い関係を有して形成されている。
【００１５】
嵌合口１７に対し、その上部側で開口幅を絞った部分の中央部にはシールド１を通すための溝１８が形成されているが、この溝１８の両側は、鉤フック状に折曲された止水縁１９として対向配置で形成されたものとなっている。すなわち、これら止水縁１９はモール５の上縁と係合すると共に、この係合状態下では、対向する端縁がシールド１の表面及び裏面まで達するようになっている。
シールド挟持部１６は、シールド下縁を表裏両側から挟持するようになった部位であり、モール外嵌部１５とは相対逆向きで横向きに開口する挿通口２３を有したソケット形に形成されている。挿通口２３の開口形状は、下部側が丸くカーブしてシールド下縁にピッタリと合致するように形成されていると共に、上部側はシールド１だけが通る溝２４として形成されている。
【００１６】
すなわち、シールド挟持部１６の内部スペース（挿通口２３の開口形状及び内法サイズ）は、シールド下縁にガタツキ無く挟持する嵌め合い関係を有して形成されている。
このように、モール外嵌部１５の内部スペースがモール端５ａに対応させてあるのに対して、シールド挟持部１６の内部スペースはシールド下縁に対応させてあるので、これらモール外嵌部１５とシールド挟持部１６との間には、内部段差２５が形成されていることになる。
なお、外見的にはモール外嵌部１５とシールド挟持部１６との間に両者を区分するような段差が現れており、端部処理具６の全体としてメリハリのついたものとなっている。
【００１７】
シールド挟持部１６には、溝２４を挟んで対向する壁２６，２７のうち一方を貫通する状態でネジ通孔（丸孔）３０が設けられている。このネジ通孔３０は、モール５の右端側に装着される端部処理具６であるか、又は左端側に装着される端部処理具６であるかによって、相対逆となる壁２６又は２７のいずれかに設けられていることになる。すなわち、シールド１として、内側（ヘルメット２の着用者から見て手前側）に、ネジ通孔３０が配置されるようになっている。
そして、シールド下縁に対し、このネジ通孔３０へ差し込まれたネジ３１（図３参照）が螺合するネジ孔（雌ねじ孔）３２が設けられている。すなわち、端部処理具６は、シールド挟持部１６に設けられたネジ通孔３０からネジ３１を差し込み、シールド下縁に設けられたネジ孔３２へ螺合することによりネジ止めされる構造となっている。
【００１８】
なお、シールド下縁に対し、上記ネジ孔３２に代えて、ネジ通孔３０と合致するネジ通孔（丸孔）を形成しておき、シールド挟持部１６においてネジ通孔３０を設けたのとは反対側の壁（２６又は２７）に対してネジ孔（雌ねじ孔）を設けるようにしてもよい。
このような構成を具備して成るシールド１では、シールド下縁に設けられたモール５に対してその両端部に端部処理具６が装着されているので、モール端５ａによる見栄え上の粗（ブツ切れとなってモール５の断面が曝された状態）が隠され、結果、シールド全体が引き締まって見えるようになる。すなわち、モール５を用いた立体的な装飾として、より体裁がよくなる。
【００１９】
またモール５による立体感だけでなく、端部処理具６による立体感も加わるため、従来の色あいの違いしか選択できなかった事情とは異なり、装飾としての自由度が広がる（立体的なものを選択できる）ことになる。
そのうえ、この端部処理具６が装着されることで、モール端５ａからの雨露等の浸入が阻止されることになるので、モール５内に詰められた弾性材８や接着剤が劣化するのが防止される。またカビや水苔等の発生も防止されることになる。弾性材８や接着剤の劣化防止はモール５の剥がれや脱落を防止できる利点に繋がり、またカビや水垢等の発生防止は、汚染汁の漏洩や悪臭の発生を防止できる利点に繋がる。
【００２０】
モール外嵌部１５がモール端５ａにガタツキなく外嵌し、シールド挟持部１６がシールド下縁にガタツキ無く挟持するので、端部処理具６の装着状態として、配置的なバラツキを生じ難くなり、シールド１として、製品個々の統一性を保てることになる。また装着後、使用中において端部処理具６のガタツキが起こらないので、端部処理具６の破損や脱落を防止できる利点もある。
また、モール５やシールド１に対する端部処理具６の装着状態が密接状のものとなるので、上記したようなモール端５ａからの雨露等の浸入阻止効果が高まり、モール５内に詰められた弾性材８や接着剤の劣化防止、及びカビや水苔等の発生防止の効果も強化される利点がある。
【００２１】
モール５や端部処理具６の装着は、シールド１に対して指を引っ掛けやすくなることに繋がるので、シールド１が跳ね上げ自在タイプである場合には開閉操作が容易になり、また固定タイプである場合にはヘルメット２からの着脱が容易になるといった利点がある。
止水縁１９により、モール５に対する端部処理具６の位置決めが確実となり、且つ一義的なものとなる利点がある。また、端部処理具６自体の脱落防止にも繋がる利点がある。
［その他の実施形態］
図７に示すように、端部処理具６は、モール外嵌部１５とシールド挟持部１６との間に現れる外見的な段差を無くし、一体感が強調されるデザインとしてもよい。
【００２２】
図８に示すように、端具処理具６は、シールド表面側に向けられる面が前方から受ける風を後方へ流す方向で流面形に形成されるでサインとしてもよい。このようにすることで、風切り音を小さく抑制乃至消失させることができ、ヘルメット２の着用者に快適感を与えることができる。
図９に示すように、端部処理具６は、シールド挟持部１６だけでなく、モール外嵌部１５もシールド下縁にネジ止めする構造とすることができる。この場合、モール外嵌部１５をネジ止めするネジ３５は、モール５をも貫通した状態でシールド１に螺合する構造とする。
【００２３】
図１０に示すように、端具処理具６は、シールド挟持部１６を可及的に小さくして、端部処理具６としてのコンパクト化を図ることができる。この場合は、モール外嵌部１５だけをネジ３５でシールド下縁にネジ止めする構造にする。
図１１に示すように、端部処理具６は、シールド挟持部１６の外側など（モール外嵌部１５の外側でもよい）に対し、星形や花形、或いはその他の図形や文字より成る立体装飾３６を施すようにしてもよい。
図１２や図１３にそれぞれ示すように、端部処理具６は、モール外嵌部１５及びシールド挟持部１６をそれらの溝１８，２４の中央で分割させたものとしておき、取付時にはこれらを接着やネジ止め等で結合させる構造としてもよい。
【００２４】
ところで、本考案は、上記各実施形態に限定されるものではなく、実施の形態に応じて適宜変更可能である。
なお、ヘルメット２の形状や用途、シールド１の外形状、モール５の材質や断面構造（形状）などは何ら限定されるものではない。
【図面の簡単な説明】
【００２５】
【図１】本考案に係るヘルメット用シールドの第１実施形態を示した斜視図である。
【図２】図１中の主要部（端部処理具の取付部周辺）を拡大して示した側面図である。
【図３】図２のＡ−Ａ線矢視図である。
【図４】図３のＢ−Ｂ線断面図である。
【図５】端部処理具の斜視図である。
【図６】図２のＣ−Ｃ線断面図である。
【図７】端部処理具の第２実施形態を示した側面図である。
【図８】端部処理具の第３実施形態を示した側面図である。
【図９】端部処理具の第４実施形態を示した側面図である。
【図１０】端部処理具の第５実施形態を示した側面図である。
【図１１】端部処理具の第６実施形態を示した側面図である。
【図１２】端部処理具の第７実施形態を示した側面図である。
【図１３】端部処理具の第８実施形態を示した側面図である。
【符号の説明】
【００２６】
１  シールド
２  ヘルメット
５  モール
５ａ  モール端
６  端部処理具
１５  モール外嵌部
１６  シールド挟持部
１９  止水縁
２５  内部段差
【図１】
0003136009.tif 000003
【図２】
0003136009.tif 000004
【図３】
0003136009.tif 000005
【図４】
0003136009.tif 000006
【図５】
0003136009.tif 000007
【図６】
0003136009.tif 000008
【図７】
0003136009.tif 000009
【図８】
0003136009.tif 000010
【図９】
0003136009.tif 000011
【図１０】
0003136009.tif 000012
【図１１】
0003136009.tif 000013
【図１２】
0003136009.tif 000014
【図１３】
0003136009.tif 000015